(57)【要約】【課題】複数の箱型建築物ユニットをその内部の居住空間に影響なく上下方向や水平方向に自在に連結することが可能な建築物の提供。【解決手段】ＣＬＴパネルを直方体の各面に配置し、隣接するＣＬＴパネル同士を接合して形成される複数の箱型建築物ユニットであり、隣接配置された複数の箱型建築物ユニットと、複数の箱型建築物ユニットの隣接位置にあるＣＬＴパネル１３，１７同士を貫通する貫通孔３０と、貫通孔３０内に挿通される中空筒状のブッシュ３１と、中空筒状のブッシュ３１内に挿通され、複数の箱型建築物ユニットの隣接位置にあるＣＬＴパネル１３，１７同士の両外側から締結されるボルト３２とを含む。【選択図】図１２
2020033750.tif 000002
【特許請求の範囲】
【請求項１】
ＣＬＴパネルを直方体の各面に配置し、隣接するＣＬＴパネル同士を接合して形成される複数の箱型建築物ユニットであり、隣接配置された複数の箱型建築物ユニットと、
前記複数の箱型建築物ユニットの隣接位置にあるＣＬＴパネル同士を貫通する貫通孔と、
前記貫通孔内に挿通される中空筒状のブッシュと、
前記中空筒状のブッシュ内に挿通され、前記複数の箱型建築物ユニットの隣接位置にあるＣＬＴパネル同士の両外側から締結されるボルトと
を含む建築物。
【請求項２】
前記ブッシュは弾性体である請求項１記載の建築物。
【請求項３】
前記ボルトは、前記ＣＬＴパネルの貫通孔に連続して形成された座繰り内に収容されるナットにより締結されるものであり、
前記ボルトおよびブッシュは前記ＣＬＴパネルから突出しない長さである
請求項１または２に記載の建築物。
【請求項４】
前記箱型建築物ユニットは、
前記直方体の各面の直交部が、第１のＣＬＴパネルの内側主面に対して第２のＣＬＴパネルの木口面または木端面が、前記第１のＣＬＴパネルの木口面または木端面と前記第２のＣＬＴパネルの外側主面とが面一となるように突き合わされて接合部材により接合された構造であり、
前記接合部材による接合部が、前記第１のＣＬＴパネルの木口面または木端面と内側主面および外側主面とが、前記第１のＣＬＴパネルの内側主面側よりも外側主面側が幅広となるように開口され、前記第２のＣＬＴパネルの木口面または木端面と少なくとも外側主面とが、前記第２のＣＬＴパネルの木口面または木端面側よりも前記第２のＣＬＴパネルの内側が幅広となるように開口され、前記第１のＣＬＴパネルの開口および前記第２のＣＬＴパネルの開口に千切り状の接合部材が、前記第１のＣＬＴパネルの木口面または木端面および前記第２のＣＬＴパネルの外側主面側から挿入された構造である
請求項１から３のいずれか１項に記載の建築物。
【発明の詳細な説明】
【技術分野】
【０００１】
本発明は、直交集成板（ＣＬＴ）からなるパネル（ＣＬＴパネル）により形成された複数の箱型建築物ユニットから構成される建築物に関する。
【背景技術】
【０００２】
直交集成板（ＣＬＴ（Ｃｒｏｓｓ  Ｌａｍｉｎａｔｅｄ  Ｔｉｍｂｅｒ））は、板の繊維方向が各層で互いに直交するように積層接着したパネルである。ＣＬＴパネルは、直交積層であるため、建築の資材として使用されてきた集成材よりも強度が安定しており、変形しにくく、コンクリートにも匹敵する強度を持ち、断熱性にも優れているという特徴がある。
【０００３】
従来、このＣＬＴパネルを利用した住宅構造が提案されている。例えば、特許文献１には、２以上のＣＬＴパネル等の箱型パネルを自重により支持されるように配置し、特段の連結具を使用することなく建築物を建築することが記載されている。なお、特許文献１には、丁番等の連結具を利用したり、接合面に凸部や凹部を設けたりしてもよいことも記載されている。この特許文献１に記載の建築物は、特段の連結具を使用することなく建築物を建築可能とするものであり、丁番等の連結具を利用したり、接合面に凸部や凹部を設けたりしてもよいとあるが、基本的には自重により支持されるようにＣＬＴパネルの配置を工夫するものであり、これらは補助的な位置決めを行っているにすぎず、接合強度を期待するものではない。
【０００４】
また、ＣＬＴパネルの接合構造として、例えば特許文献２には、２以上のＣＬＴパネルを互いに交差するように延びかつＣＬＴパネルに埋設される棒状の大径緊結部材および小径緊結部材ならびに接着剤を用いて接合したものが記載されている。この特許文献２に記載の接合構造は、ＣＬＴパネルに埋設穴を形成し、この埋設穴に棒状の大径および小径の緊結部材を挿入していくものであるが、ＣＬＴパネルはかなりの重量があるため、クレーンを用いて組み立てていく必要があり、一方のＣＬＴパネルの埋設穴に挿入した緊結部材を他方のＣＬＴパネルの埋設穴に挿入することは非常に困難である。
【０００５】
また、特許文献３には、上下方向に積層される箱型の木造ユニット同士の間にロッキング支承が介装され、箱型の木造ユニットを最下層の木造ユニットから最上層の木造ユニットを上下方向に貫通する係留索によって、基礎部と最上層の木造ユニットを連結した木造積層建築物が記載されている。この木造積層建築物では、地震時には、ロッキング支承の回転により水平方向および鉛直方向の変位が生じ、係留索が水平変位とロッキング支承に生じる鉛直変位に応じた引張軸力を負担する。
【先行技術文献】
【特許文献】
【０００６】
【特許文献１】特許第６２７１０６１号公報
【特許文献２】特開２０１８−９３２７号公報
【特許文献３】特開２０１８−９３６０号公報
【発明の概要】
【発明が解決しようとする課題】
【０００７】
上記特許文献３に記載の木造積層建築物は上下方向に積層された箱状の木造ユニットを連結するものであり、上下方向に積層できるものの、水平方向に連結することはできない。また、最下層の木造ユニットから最上層の木造ユニットまで木造ユニット内を係留索が貫通しているため、居住者にとって邪魔となる。
【０００８】
そこで、本発明においては、複数の箱型建築物ユニットをその内部の居住空間に影響なく上下方向や水平方向に自在に連結することが可能な建築物を提供することを目的とする。
【課題を解決するための手段】
【０００９】
本発明の建築物は、ＣＬＴパネルを直方体の各面に配置し、隣接するＣＬＴパネル同士を接合して形成される複数の箱型建築物ユニットであり、隣接配置された複数の箱型建築物ユニットと、複数の箱型建築物ユニットの隣接位置にあるＣＬＴパネル同士を貫通する貫通孔と、貫通孔内に挿通される中空筒状のブッシュと、中空筒状のブッシュ内に挿通され、複数の箱型建築物ユニットの隣接位置にあるＣＬＴパネル同士の両外側から締結されるボルトとを含むものである。
【００１０】
本発明の建築物によれば、上下方向や水平方向に隣接配置される複数の箱型建築物ユニットが、複数の箱型建築物ユニットの隣接位置にあるＣＬＴパネル同士を貫通する貫通孔を通じて中空筒状のブッシュおよびボルトにより連結される。
【００１１】
ここで、ブッシュは弾性体であることが望ましい。これにより、地震等により発生する上下方向や水平方向の揺れを弾性体のブッシュが低減する免震構造となる。
【００１２】
また、ボルトは、ＣＬＴパネルの貫通孔に連続して形成された座繰り内に収容されるナットにより締結されるものであり、ボルトおよびブッシュはＣＬＴパネルから突出しない長さであることが望ましい。これにより、ＣＬＴパネルの表面から何も突出させることなく複数の箱型建築物ユニットを連結した建築物が得られる。
【００１３】
箱型建築物ユニットは、直方体の各面の直交部が、第１のＣＬＴパネルの内側主面に対して第２のＣＬＴパネルの木口面または木端面が、第１のＣＬＴパネルの木口面または木端面と第２のＣＬＴパネルの外側主面とが面一となるように突き合わされて接合部材により接合された構造であり、接合部材による接合部が、第１のＣＬＴパネルの木口面または木端面と内側主面および外側主面とが、第１のＣＬＴパネルの内側主面側よりも外側主面側が幅広となるように開口され、第２のＣＬＴパネルの木口面または木端面と少なくとも外側主面とが、第２のＣＬＴパネルの木口面または木端面側よりも第２のＣＬＴパネルの内側が幅広となるように開口され、第１のＣＬＴパネルの開口および第２のＣＬＴパネルの開口に千切り状の接合部材が、第１のＣＬＴパネルの木口面または木端面および第２のＣＬＴパネルの外側主面側から挿入された構造であることが望ましい。
【００１４】
この箱型建築物ユニットでは、ＣＬＴパネルを直方体の各面に配置し、隣接するＣＬＴパネル同士を接合するに際し、外側に向かって開口されている第１のＣＬＴパネルの開口および第２のＣＬＴパネルの開口に千切り状の接合部材を、第１のＣＬＴパネルの木口面または木端面および第２のＣＬＴパネルの外側主面側から挿入すると、この千切り状の接合部材により第１のＣＬＴパネルと第２のＣＬＴパネルとが締め付けられて接合される。
【００１５】
ここで、千切り状の接合部材は、第１のＣＬＴパネルの開口に対応する形状の第１部材と、第２のＣＬＴパネルの開口に対応する形状の第２部材とが、第１のＣＬＴパネルの外側主面側から締め付け可能なボルト・ナットにより連結されたものであることが望ましい。これにより、第１のＣＬＴパネルと第２のＣＬＴパネルとの締め付けが弱い場合には、第１のＣＬＴパネルの外側主面側からボルト・ナットを締め付けることにより千切り状の接合部材を締め付けて、第１のＣＬＴパネルと第２のＣＬＴパネルとをしっかりと締め付けることが可能となる。
【発明の効果】
【００１６】
（１）ＣＬＴパネルを直方体の各面に配置し、隣接するＣＬＴパネル同士を接合して形成される複数の箱型建築物ユニットであり、隣接配置された複数の箱型建築物ユニットと、複数の箱型建築物ユニットの隣接位置にあるＣＬＴパネル同士を貫通する貫通孔と、貫通孔内に挿通される中空筒状のブッシュと、中空筒状のブッシュ内に挿通され、複数の箱型建築物ユニットの隣接位置にあるＣＬＴパネル同士の両外側から締結されるボルトとを含む構成により、上下方向や水平方向に隣接配置される複数の箱型建築物ユニットが、複数の箱型建築物ユニットの隣接位置にあるＣＬＴパネル同士を貫通する貫通孔を通じて中空筒状のブッシュおよびボルトにより連結されるため、複数の箱型建築物ユニットをその内部の居住空間に影響なく上下方向や水平方向に自在に連結した建築物が得られる。
【００１７】
（２）ブッシュが弾性体であることにより、地震等により発生する上下方向や水平方向の揺れを弾性体のブッシュが低減する免震構造を有する建築物が得られる。
【００１８】
（３）ボルトがＣＬＴパネルの貫通孔に連続して形成された座繰り内に収容されるナットにより締結されるものであり、ボルトおよびブッシュがＣＬＴパネルから突出しない長さであることにより、ＣＬＴパネルの表面から居住空間内に突出するものがない建築物が得られる。
【００１９】
（４）直方体の各面の直交部は、第１のＣＬＴパネルの内側主面に対して第２のＣＬＴパネルの木口面または木端面が、第１のＣＬＴパネルの木口面または木端面と第２のＣＬＴパネルの外側主面とが面一となるように突き合わされて接合部材により接合された構造であり、接合部材による接合部は、第１のＣＬＴパネルの木口面または木端面と内側主面および外側主面とが、第１のＣＬＴパネルの内側主面側よりも外側主面側が幅広となるように開口され、第２のＣＬＴパネルの木口面または木端面と少なくとも外側主面とが、第２のＣＬＴパネルの木口面または木端面側よりも第２のＣＬＴパネルの内側が幅広となるように開口され、第１のＣＬＴパネルの開口および第２のＣＬＴパネルの開口に千切り状の接合部材が、第１のＣＬＴパネルの木口面または木端面および第２のＣＬＴパネルの外側主面側から挿入された構造であることにより、ＣＬＴパネルを直方体の各面に配置し、外側に向かって開口されている第１のＣＬＴパネルの開口および第２のＣＬＴパネルの開口に千切り状の接合部材を挿入していくことで、ＣＬＴパネルを容易に接合して箱型建築物ユニットを得ることができる。また、この箱型建築物ユニットを複数連結することで建築物を得ることができる。
【００２０】
（５）千切り状の接合部材が、第１のＣＬＴパネルの開口に対応する形状の第１部材と、第２のＣＬＴパネルの開口に対応する形状の第２部材とが、第１のＣＬＴパネルの外側主面側から締め付け可能なボルト・ナットにより連結されたものである構成により、第１のＣＬＴパネルと第２のＣＬＴパネルとの締め付けが弱い場合には、第１のＣＬＴパネルの外側主面側からボルト・ナットを締め付けることにより千切り状の接合部材を締め付けて、第１のＣＬＴパネルと第２のＣＬＴパネルとをしっかりと締め付けることが可能となる。
【図面の簡単な説明】
【００２１】
【図１】本発明の実施の形態における箱型建築物ユニットの斜視図である。
【図２】図１の箱型建築物ユニットの正面図である。
【図３】図２の左側面図である。
【図４】図１のＩＶ部を拡大したＣＬＴパネルの接合部の分解斜視図である。
【図５】接合部材の斜視図である。
【図６】図５の接合部材の分解斜視図である。
【図７】図５の接合部材の平面図である。
【図８】図５の接合部材の正面図である。
【図９】図５の接合部材の底面図である。
【図１０】図１の箱型建築物ユニットを用いた建築物の斜視図である。
【図１１】図１０の建築物の側面図である。
【図１２】図１０のＸＩＩ部の連結部分の断面図である。
【図１３】図１２の連結部分の斜視図である。
【図１４】図１３の分解斜視図である。
【発明を実施するための形態】
【００２２】
図１は本発明の実施の形態における箱型建築物ユニットの斜視図、図２は図１の箱型建築物ユニットの正面図、図３は図２の左側面図、図４は図１のＩＶ部を拡大したＣＬＴパネルの接合部の分解斜視図、図５は接合部材の斜視図、図６は図５の接合部材の分解斜視図、図７は図５の接合部材の平面図、図８は正面図、図９は底面図である。
【００２３】
図１〜図３に示すように、本発明の実施の形態における箱型建築物ユニット１は、ＣＬＴパネル１０，１１，１２，１３，１４，１５，１６，１７，・・・を直方体の各面（天井面、床面および４つの側壁面）に配置し、隣接するＣＬＴパネル１０，１１，１２，１３，１４，１５，１６，１７，・・・を後述する接合部材２を用いて接合することにより形成される。
【００２４】
この直方体（箱型建築物ユニット１）の各面の直交部は、一方（第１）のＣＬＴパネルの内側主面に対して他方（第２）のＣＬＴパネルの木口面または木端面が、第１のＣＬＴパネルの木口面または木端面と第２のＣＬＴパネルの外側主面とが面一となるように突き合わされて接合された構造である。なお、ＣＬＴパネルの木口面とはＣＬＴパネルの長手方向の端面をいい、ＣＬＴパネルの木端面とはＣＬＴパネルの短手方向の端面をいうものとする。
【００２５】
例えば、箱型建築物ユニット１の天井面のＣＬＴパネル１０と側壁面のＣＬＴパネル１１との直交部は、ＣＬＴパネル１０の内側主面１０ｉに対してＣＬＴパネル１１の木端面１１ｓが、ＣＬＴパネル１０の木端面１０ｓとＣＬＴパネル１１の外側主面１１ｏとが同一となるように突き合わされて接合部材２により接合される。天井面のＣＬＴパネル１０と側壁面のＣＬＴパネル１５との直交部、側壁面のＣＬＴパネル１３と側壁面のＣＬＴパネル１４との直交部、側壁面のＣＬＴパネル１６と側壁面のＣＬＴパネル１７との直交部も同様である。また、図１に現れない背面側のＣＬＴパネル同士の直交部も同様である。
【００２６】
接合部材２による接合部は、一方（第１）のＣＬＴパネルの木口面または木端面と外側主面とが、第１のＣＬＴパネルの内側主面側よりも外側主面側が幅広となるように開口され、他方（第２）のＣＬＴパネルの木口面または木端面と少なくとも外側主面とが、第２のＣＬＴパネルの木口面または木端面側よりも第２のＣＬＴパネルの内側が幅広となるように開口されている。
【００２７】
例えば、図４に示すように、ＣＬＴパネル１０とＣＬＴパネル１１との接合部には、ＣＬＴパネル１０に木端面１０ｓと内側主面１０ｉおよび外側主面１０ｏとが開口された開口部１０ｎが形成され、ＣＬＴパネル１１に木端面１１ｓと内側主面１１ｉおよび外側主面１１ｏとが開口された開口部１１ｎが形成されている。開口部１０ｎは、木端面１０ｓからみて上底が下底より長い逆等脚台形状、すなわち、ＣＬＴパネル１０の内側主面１０ｉ側よりも外側主面１０ｏ側が幅広となるように形成されている。開口部１１ｎは、開口部１０ｎと対称形であり、外側主面１１ｏからみて上底が下底より短い等脚台形状、すなわち、ＣＬＴパネル１１の木端面１１ｓ側よりも内側（木端面１１ｓから離れる側（図４の下側））が幅広となるように形成されている。他のＣＬＴパネル同士の直交部の接合部も同様である。
【００２８】
接合部材２は、上述のような開口部１０ｎ，１１ｎに対応する形状とした千切り（バタフライジョイント）状の接合部材である。図５〜図９に示すように、接合部材２は、ＣＬＴパネル１０の開口部１０ｎに対応する形状の第１部材２１と、ＣＬＴパネル１１の開口部１１ｎに対応する形状の第２部材２２とから構成される。第１部材２１と第２部材２２とは、ボルト２３およびナット２４により連結される。ボルト２３はプレート２５上に２本固定されている。
【００２９】
第１部材２１および第２部材２２は、ＣＬＴから形成されている。第１部材２１および第２部材２２は、開口部１０ｎ，１１ｎに対応する形状である。但し、第１部材２１の台形状の脚部２１ａおよび第２部材２２の台形状の脚部２２ａは、接合部材２を箱型建築物ユニット１の外側（第１のＣＬＴパネルの木口面または木端面および第２のＣＬＴパネルの外側主面側）から開口部１０ｎ，１１ｎへ挿入、すなわち、図４の例ではＣＬＴパネル１０の木端面１０ｓおよびＣＬＴパネル１１の外側主面１１ｏ側から挿入した際に、ＣＬＴパネル１０，１１同士を締め付ける力が働くように勾配が設けられている。
【００３０】
また、第１部材２１および第２部材２２には、ボルト２３が貫通する孔２１ｂ，２２ｂが形成されている。第１部材２１の台形状の底辺部２１ｃには、ナット２４および座金２６が突出しないように座掘り２１ｄが形成されている。第２部材２２の台形状の底辺部２２ｃには、プレート２５が突出しないように座掘り２２ｄが形成されている。接合部材２は、上記構成の第１部材２１および第２部材２２をプレート２５のボルト２３に通し、座金２６を介してナット２４により締め付けて連結したものである。
【００３１】
上記構成の箱型建築物ユニット１は、ＣＬＴパネル１０，１１，１２，１３，１４，１５，１６，１７，・・・を直方体の各面（天井面、床面および４つの側壁面）に配置し、隣接するＣＬＴパネル１０，１１，１２，１３，１４，１５，１６，１７，・・・を外側に向かって開口されている開口部１０ｎ，１１ｎ等に千切り状の接合部材２を挿入していくことで容易に接合することが可能である。
【００３２】
特に、この箱型建築物ユニット１では、ＣＬＴパネル１０とＣＬＴパネル１１等との締め付けが弱い場合には、ＣＬＴパネル１０の外側主面１０ｏ側からボルト２３・ナット２４を締め付けることにより接合部材２の第１部材２１と第２部材２２とを締め付け、ＣＬＴパネル１０とＣＬＴパネル１１等とをしっかりと締め付けることが可能となっている。なお、第１部材２１と第２部材２２とをゴム等の弾性部材により形成することで、箱型建築物ユニット１を免震構造とすることも可能である。
【００３３】
また、本実施形態における箱型建築物ユニット１は、直方体の各面内で隣接するＣＬＴパネル１１とＣＬＴパネル１２，１３とに同様に開口を設け、接合部材２を用いて接合している。ＣＬＴパネル１５とＣＬＴパネル１４，１６との接合も同様である。
【００３４】
そして、上記箱型建築物ユニット１を図１０に示すように複数連結することで建築物を構成することも可能である。
【００３５】
ここで、図１０に示すように隣接配置された複数の箱型建築物ユニット１の連結構造について説明する。図１１は図１０の建築物の側面図、図１２は図１０のＸＩＩ部の連結部分の断面図、図１３は図１２の連結部分の斜視図、図１４は図１３の分解斜視図である。
【００３６】
本実施形態における隣接配置された複数の箱型建築物ユニット１の連結構造では、図１２〜図１４に示すように、隣接位置にあるＣＬＴパネル１３，１７同士を貫通する貫通孔３０が形成され、この貫通孔３０内に中空筒状のブッシュ３１が挿通され、この中空筒状のブッシュ３１内にボルト３２が挿通される。ボルト３２はＣＬＴパネル１３，１７の両外側から座金３３を介してナット３４により締結される。
【００３７】
なお、ＣＬＴパネル１３，１７の両外側には貫通孔３０に連続して座繰り３５が形成されている。ナット３４はこの座繰り３５内に収容され、ＣＬＴパネル１３，１７の両外側には突出しない。また、ボルト３２およびブッシュ３１もＣＬＴパネル１３，１７から突出しない長さとなっている。ブッシュ３１はゴム等の弾性体からなる。
【００３８】
なお、以上では複数の箱型建築物ユニット１の隣接位置にあるＣＬＴパネル１３，１７の連結部分を例に説明したが、上下方向および水平方向に複数の箱型建築物ユニット１を隣接配置した場合には、上下方向および水平方向にそれぞれ隣接位置にあるＣＬＴパネル同士を同様の構成により連結する。
【００３９】
上記構成の連結構造では、上下方向や水平方向に隣接配置される複数の箱型建築物ユニット１が、複数の箱型建築物ユニット１の隣接位置にあるＣＬＴパネル同士を貫通する貫通孔３０を通じて中空筒状のブッシュ３１およびボルト３２により連結される。この連結構造では、従来の係留索のように複数の箱型建築物ユニット１を貫通するものがないため、複数の箱型建築物ユニット１をその内部の居住空間に影響なく上下方向や水平方向に自在に連結した建築物が得られる。
【００４０】
また、本実施形態における連結構造では、ブッシュ３１がゴム等の弾性体であることにより、地震等により発生する上下方向や水平方向の揺れをこの弾性体のブッシュ３１が低減するため、免震構造を有する建築物となる。
【００４１】
また、この連結構造では、ボルト３２がＣＬＴパネルの貫通孔３０に連続して形成された座繰り３５内に収容されるナット３４により締結されるものであり、ボルト３２およびブッシュ３１がＣＬＴパネルから突出しない長さであることにより、ＣＬＴパネルの表面から居住空間内に突出するものがない建築物となる。
【産業上の利用可能性】
【００４２】
本発明は、ＣＬＴパネル同士を接合した箱型建築物ユニットを用いた建築物として有用である。
【符号の説明】
【００４３】
１  箱型建築物ユニット
２  接合部材
１０，１１，１２，１３，１４，１５，１６，１７  ＣＬＴパネル
２１  第１部材
２２  第２部材
３０  貫通孔
３１  ブッシュ
３２  ボルト
３３  座金
３４  ナット
３５  座繰り
【図１】
2020033750.tif 000003
【図２】
2020033750.tif 000004
【図３】
2020033750.tif 000005
【図４】
2020033750.tif 000006
【図５】
2020033750.tif 000007
【図６】
2020033750.tif 000008
【図７】
2020033750.tif 000009
【図８】
2020033750.tif 000010
【図９】
2020033750.tif 000011
【図１０】
2020033750.tif 000012
【図１１】
2020033750.tif 000013
【図１２】
2020033750.tif 000014
【図１３】
2020033750.tif 000015
【図１４】
2020033750.tif 000016